(57)【要約】      （修正有）【課題】発電所の運用を停止することなく水路に堆積した土砂を効率的に排除することができ、溢水電力、土砂排除作業にかかる労力およびコスト等を大幅に低減することが可能な水路構造を提供する。【解決手段】水路構造の構成は、水路に設けられ水路を開閉するゲート（余水ゲート１２２）と、ゲートの上流側でゲートに近接して配置される板状の敷板１３０と、を備え、敷板は、水路の底面１０２から所定高さ上方に位置することを特徴とする。【選択図】図２
2015028255.tif 000002
【特許請求の範囲】
【請求項１】
水路に設けられ該水路を開閉するゲートと、
前記ゲートの上流側で該ゲートに近接して配置される板状の敷板と、
を備え、
前記敷板は、前記水路の底面から所定高さ上方に位置することを特徴とする水路構造。
【請求項２】
前記敷板は、前記水路の底面と平行に設置されることを特徴とする請求項１に記載の水路構造。
【請求項３】
前記敷板は、前記ゲート側の縁を前縁としたときに、該前縁と後縁との中途位置に１または複数の貫通孔を有することを特徴とする請求項１または２に記載の水路構造。
【請求項４】
前記貫通孔は、前記ゲートと平行に前記敷板の幅方向に延びるスリット状であることを特徴とする請求項３に記載の水路構造。
【請求項５】
前記水路は、屈曲部を有する本流と、該屈曲部から分岐する支流とからなり、
前記ゲートは前記支流に配置され、
前記敷板は、前記ゲート側の縁を前縁としたときに、後縁が前記屈曲部の角に至っていることを特徴とする請求項１に記載の水路構造。
【請求項６】
前記水路は、屈曲部を有する本流と、該屈曲部から分岐する支流とからなり、
前記ゲートは前記支流に配置され、
前記貫通孔は、前記屈曲部より下流側の本流の幅の中央に対応する位置に設けられていることを特徴とする請求項３に記載の水路構造。
【発明の詳細な説明】
【技術分野】
【０００１】
本発明は、河川からの水を取水する水路であって、かかる水路を開閉するゲートを備える水路構造に関する。
【背景技術】
【０００２】
水力発電所（以下、単に発電所と称する）では、水路によって河川からの水を取水し、発電用水としている。かかる水路には、発電所の運用に伴って恒常的に土砂が堆積する。土砂が大量に堆積すると、取水量ひいては発電電力（発電効率）が低下してしまう。このため、発電所を効率的に運用するには、水路内の土砂を定期的に排除する必要がある。しかしながら、土砂排除作業を行うためには発電所の運転を停止しなければならず、溢水電力の増加を招いてしまう。
【０００３】
また発電後に地元用水路に放流する水は灌漑用水として利用されることがあるため、発電所を停止すると灌漑用水の分水支障を伴うこととなる。更に、土砂排除作業に要する人件費や、土砂排除作業に伴って発生する濁水によって河川の濁りが生じることにより地元の産業に与える影響も課題となっていた。
【０００４】
そこで例えば特許文献１では、河川から水力発電用の水を水力発電所に導入するために設けられる導水路において、その底部から水面に達する高さを有する塵芥除去スクリーンを導水路の幅方向に差し渡されるように配設し、塵芥除去スクリーンよりも上流側には、導水路の下部を流過する水中に混在する塵芥を捕集する塵芥捕集用金網を導水路の底部に幅方向に差し渡すように配設している。特許文献１では、導水路の下部を流過する水中に混在する塵芥を、塵芥除去スクリーンの上流側に配設される塵芥捕集用金網によって捕集することができるため、塵芥除去スクリーンの下部に堆積する塵芥が少なくなり、目詰まり状態の発生を効果的に抑えることができ、メンテナンスが容易で安定した発電出力を確保可能であるとしている。
【先行技術文献】
【特許文献】
【０００５】
【特許文献１】特開２００５−２９９２４６号公報
【発明の概要】
【発明が解決しようとする課題】
【０００６】
しかし、特許文献１のように塵芥除去スクリーンおよび塵芥捕集用金網を水路に設置しても、結局のところそれらによって捕集された土砂等の塵芥（以下、単に土砂と称する）を排除するために土砂排除作業が必要になることには変わりはない。したがって、特許文献１の構成であると、塵芥除去スクリーンのメンテナンスは容易になるとは思われるものの、土砂排除作業に纏わる課題を解決することができない。
【０００７】
ここで、水路には、河川からの水を取水する取水路と、そこから分岐し余水を河川に放出する余水路が設けられていて、かかる余水路にはそこを開閉するための余水ゲートが設置されている。余水路および余水ゲートは古くからある技術である。余水ゲートの下方を一部開くことで、排砂の目的にも利用することができる。このため、余水ゲートは通常時の運用では閉め切られているが、余水ゲートの下方の一部を時折開くことで、発電所の運転を継続しながら土砂の堆積を抑制できる可能性がある。
【０００８】
しかしながら、発明者らが検証を行った結果、余水ゲート近傍の土砂は排出されるものの、それより上流側の土砂は残留してしまうことがわかった。このため、単に余水ゲートの下方の一部を開いておくだけでは、土砂排除作業にかかる労力を若干軽減することは可能であるものの、十分な土砂排除効果を得ることができず、更なる改善が求められていた。
【０００９】
本発明は、このような課題に鑑み、発電所の運用を停止することなく水路に堆積した土砂を効率的に排除することができ、土砂排除作業にかかる労力およびコスト等を大幅に低減することが可能な水路構造を提供することを目的としている。
【課題を解決するための手段】
【００１０】
上記課題を解決するために、本発明にかかる水路構造の代表的な構成は、水路に設けられ水路を開閉するゲートと、ゲートの上流側でゲートに近接して配置される板状の敷板と、を備え、敷板は、水路の底面から所定高さ上方に位置することを特徴とする。また好ましくは、敷板は、水路の底面と平行に設置されるとよい。
【００１１】
上記構成によれば、ゲートを敷板の高さまで開口させることにより、水路内において敷板の下方に速い底面流が生じる。これにより、敷板より上流側、すなわちゲートより上流側の土砂が速い底面流によって敷板の下方に吸い込まれるように移動し、ゲートから排出される。したがって、発電所の運用を停止することなく、水路に堆積した土砂を効率的に排除することができる。故に、発電所の運用停止に纏わる不具合を生じさせることなく、土砂排除作業にかかる労力およびコスト等を大幅に低減することが可能となる。
【００１２】
上記敷板は、ゲート側の縁を前縁としたときに、前縁と後縁との中途位置に１または複数の貫通孔を有するとよい。これにより、敷板上に溜まった土砂が、敷板下方の底面流に吸い込まれるように貫通孔から敷板の下方に移動し、ゲートから排出される。したがって、敷板上に溜まった土砂の排砂も可能となる。
【００１３】
上記貫通孔は、ゲートと平行に敷板の幅方向に延びるスリット状であるとよい。貫通孔をスリット状とすることで、敷板の幅方向に複数の貫通孔を設けることなく、敷板上の土砂を効率的に排砂することが可能となる。
【００１４】
上記水路は、屈曲部を有する本流と、屈曲部から分岐する支流とからなり、ゲートは支流に配置され、敷板は、ゲート側の縁を前縁としたときに、後縁が屈曲部の角に至っているとよい。水路が屈曲部を有する場合、かかる屈曲部において水路を流れる水の流速が低下するため、屈曲部の角に土砂が堆積しやすい。このため、敷板の後縁を屈曲部の角に位置させることにより、そこに堆積した土砂を好適に排除することができ、土砂の堆積を抑制することが可能となる。
【００１５】
上記水路は、屈曲部を有する本流と、屈曲部から分岐する支流とからなり、ゲートは支流に配置され、貫通孔は、屈曲部より下流側の本流の幅の中央に対応する位置に設けられているとよい。これにより、屈曲部より下流側の本流の手前において敷板上に堆積した土砂を好適に排除することができる。したがって、屈曲部より下流側の本流、ひいては発電設備への土砂の持込を抑制することが可能となる。
【発明の効果】
【００１６】
本発明によれば、発電所の運用を停止することなく水路に堆積した土砂を効率的に排除することができ、土砂排除作業にかかる労力およびコスト等を大幅に低減することが可能な水路構造を提供することができる。
【図面の簡単な説明】
【００１７】
【図１】本実施形態にかかる水路構造を例示する平面図である。
【図２】図１（ｂ）のＡ−Ａ断面の模式図である。
【図３】本実施形態にかかる実施例および比較例を説明する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
図１は、本実施形態にかかる水路構造１００を例示する平面図であり、図１（ａ）は後述する敷板１３０を設置する前の状態の水路構造１００を例示する平面図であり、図１（ｂ）は敷板１３０が設置された状態の水路構造１００を例示する平面図である。図１（ａ）に示すように、本実施形態にかかる水路構造１００では、水路は、本流である導水路１１０および支流である余水路１２０を含んで構成される。
【００２０】
取水口（不図示）から取り入れられた河川からの水は、本流である導水路１１０を矢印に示すように流れることで発電所（不図示）に導かれる。本実施形態では、導水路１１０は屈曲部１１２を有し、この屈曲部１１２から支流である余水路１２０が分岐している。また導水路１１０の屈曲部１１２と余水路１２０との間には、水路を開閉するゲートである余水ゲート１２２が設けられている。なお、以下の説明では、導水路１１０のうち、屈曲部１１２より上流側を上流１１０ａと称し、屈曲部１１２より下流側を下流１１０ｂと称する。
【００２１】
図１（ａ）に示すように、屈曲部１１２にはスクリーン１２４が設置されていて、このスクリーン１２４を通過することにより、河川から取水された水に含まれる木や石等が取り除かれる。またスクリーン１２４より下流側には沈砂池１２６が設けられていて、ここで水に含まれる砂が沈降することにより、河川の水から砂が取り除かれる。
【００２２】
図１（ｂ）に示すように、本実施形態の特徴として、水路構造１００では余水ゲート１２２の上流側において板状の敷板１３０がかかる余水ゲート１２２に近接して配置される。図２は、図１（ｂ）のＡ−Ａ断面の模式図であり、図２（ａ）は敷板１３０を設置していない状態の模式図であり、図２（ｂ）は敷板１３０を設置していない状態で余水ゲートの下方を開いた場合の模式図であり、図２（ｃ）は敷板１３０を設置した状態で余水ゲート１２２の下方を開いた場合の模式図であり、図２（ｄ）はスリット状の貫通孔１３２を設けた敷板１３０を設置した状態で余水ゲート１２２の下方を開いた場合の模式図である。
【００２３】
取水口から取り入れられて導水路１１０の上流１１０ａを流れ、屈曲部１１２において水が下流１１０ｂに流れる際、水の流速が低下する。このため、屈曲部１１２の近傍には水に含まれている土砂が堆積する。このとき、本実施形態の敷板１３０を設けていない場合、図２（ａ）に示すように、余水ゲート１２２の上流側に土砂１４０が堆積する。そして、図２（ｂ）に示すように余水ゲート１２２の下方を開くと余水ゲート１２２を通過する水の流れの流速V2が生じる。
【００２４】
ここで、Ｂ−Ｃ断面間でエネルギー損失は無く、Ｂ−Ｂ断面での圧力は静水圧分布であり、Ｃ−Ｃ断面での圧力は大気圧と仮定すると、上記の流速V2はＢ-Ｃ断面間でベルヌーイの定理を適用することにより、下記の数式１から６によって求めることができる。なお、CVは流速補正係数、haは接近流速水頭である。図２（ｂ）に示すように、単に余水ゲート１２２を開いただけでは、余水ゲート１２２の上流側では、その近傍、例えば余水ゲート１２２から２ｍ程度上流の位置までの土砂１４０は排出されるが、それより更に上流の土砂１４０の排出が困難である。
【数１】
2015028255.tif 000003
【００２５】
そこで本実施形態では、上述したように余水ゲート１２２の上流側において、かかる余水ゲート１２２に近接する位置に板状の敷板１３０を配置する。図２（ｃ）に示すように、敷板１３０は、水路の底面１０２から所定高さ上方に位置し、水路の底面１０２と平行に配置される。そして、敷板１３０が設置された状態で、かかる敷板１３０の高さまで余水ゲート１２２を開くと、図２（ｃ）に示すように、敷板１３０の下方において水路の底面１０２を沿う流れ、すなわち底面流が発生する。
【００２６】
図２（ｃ）の状態において余水ゲート１２２を開いた際の底面流速発生のメカニズムは、図２（ｂ）に示すように敷板１３０を設置していない状態で余水ゲート１２２の下方を開いたときにV2が生じることと同じであるが、敷板１３０によって土砂１４０が吸い込まれる箇所を余水ゲート１２２の上流側に移動させたことにより、水路の底面１０２を沿う底面流が発生する。そして、この底面流によって、敷板１３０より上流側の土砂１４０が敷板１３０の下方に吸い込まれるように移動し、余水ゲート１２２の下方から排出される。
【００２７】
特に本実施形態のように水路（導水路１１０）が屈曲部１１２を有する場合、図１（ｂ）に示すように、敷板１３０は、余水ゲート１２２側の縁を前縁１３０ａとしたときに、後縁１３０ｂが屈曲部１１２（図１（ａ）参照）の角１１２ａ（屈曲の内側の角）に至っているとよい。水路に屈曲部１１２が存在する場合、かかる屈曲部１１２において水路を流れる水の流速が低下し、その角１１２ａに土砂１４０が堆積しやすい傾向がある。そこで、敷板１３０の後縁１３０ｂを屈曲部１１２の角に位置させることで、屈曲部１１２の角に堆積した土砂１４０を効率的に排除することができ、導水路１１０の下流１１０ｂへの土砂１４０の持ち込みを抑制することが可能となる。
【００２８】
ここで、水路に敷板１３０を設置した場合、図２（ａ）のような余水ゲート１２２に近接している箇所よりも更に上流側の土砂１４０を好適に排出可能であるものの、図２（ｃ）に示すように、敷板１３０の上方への土砂１４０が残ってしまう。この敷板１３０の上方の土砂１４０を排出するために、敷板１３０には、図２（ｄ）に示すように、前縁１３０ａと後縁１３０ｂとの中途位置に貫通孔１３２を有するとよい。
【００２９】
図１（ｂ）および図２（ｄ）に示すように、本実施形態では、上記の貫通孔１３２を、余水ゲート１２２と平行に敷板１３０の幅方向に延びるスリット状としている。これにより、敷板１３０の下方の底面流によって敷板１３０の上方において貫通孔１３２での圧力が低下するため、敷板１３０の上に堆積する土砂１４０が貫通孔１３２に吸い込まれる流れが発生する。このことは、下記の数式７（ベルヌーイの定理）によって確認される。そして、敷板１３０の上の土砂１４０が、敷板１３０の下方の底面流に吸い込まれるように貫通孔１３２から敷板１３０の下方に移動し、余水ゲート１２２から排出されることで、敷板１３０の上の土砂１４０の排砂も可能となる。
【数２】
2015028255.tif 000004
【００３０】
好ましくは、上記貫通孔１３２は、図１（ｂ）に示すように、屈曲部１１２より下流側の本流、すなわち本実施形態の導水路１１０の下流１１０ｂの幅の中央に対応する位置に設けられているとよい。これにより、屈曲部１１２、すなわち下流１１０ｂの手前に配置された敷板１３０の上に堆積した土砂１４０を好適に排除し、下流１１０ｂひいては発電所への土砂の持ち込みを低減することができる。
【００３１】
なお、本実施形態では、スリット状の貫通孔１３２を例示したが、これに限定するものではなく、例えば単なる丸穴や長穴のような形状であってもよい。また本実施形態では、貫通孔１３２、すなわちスリットは１つしか形成されていないが、これにおいても限定されず、敷板１３０の幅方向に複数の丸穴を並べて形成することによっても上述したスリット状の貫通孔１３２と同様の効果を得ることができる。ただし、貫通孔をスリット状とすれば、貫通孔に木や石等が詰まる可能性を軽減させることができ、また、複数の貫通孔を形成する手間をかけることなく上記の効果を得ることが可能である。
【００３２】
更に本実施形態では、敷板１３０を水路の底面１０２から所定高さ上方に位置させることとしたが、この所定高さは、取水口から取り入れられる河川の水に含まれる木や石等の大きさに応じて適宜設定することが可能である。なお、敷板１３０が設置される高さ（所定高さ）に応じて、余水ゲート１２２を開口する高さも変更されることは言うまでもない。また貫通孔１３２の径（スリット状である場合はスリットの幅）についても、河川の水に含まれる木や石等の大きさに応じて決定することが好ましい。また本実施形態においては、水路の底面１０２と平行になるように敷板１３０を設置したが、これに限定するものではなく、水路の底面１０２に対して傾斜するように設置することも可能である。
【００３３】
（実施例）
図３は、本実施形態にかかる実施例および比較例を説明する図であり、図３（ａ）は実験条件について説明する図であり、図３（ｂ）は実験結果について説明する図である。図３（ｂ）のうち、従来構造とは、図２（ｂ）に示す敷板１３０が設置されていない状態で余水ゲート１２２を開いた場合（比較例１）であり、二階建てとは、図２（ｃ）に示す敷板１３０が設置された状態で余水ゲート１２２を開いた場合（実施例１）である。１スリットとは、図２（ｄ）に示す１つのスリット状の貫通孔１３２が設けられた敷板１３０が設置された状態で余水ゲート１２２を開いた場合（実施例２）であり、２スリットとは、図示はしていないが、２つのスリット状の貫通孔１３２が設けられた敷板１３０が設置された状態で余水ゲート１２２を開いた場合である（実施例３）。
【００３４】
図３（ａ）に示すように、本実施形態の水路構造１００の効果を検証するために、実際に本発明にかかる水路構造１００を適用する水路の１／２０スケールの模型を用いて実験を行った。水路模型の水路長は０．９ｍであり、水路幅は０．２ｍである。実施例１〜３の敷板１３０の設置高さ（所定高さ）および余水ゲート１２２の開口幅はともに２．５ｃｍとし、敷板１３０の長さは４０ｃｍとし、実施例２〜３の敷板１３０のスリット状の貫通孔１３２のスリット幅は１．５ｃｍとした。また水路模型に流す水の流量は３４０Ｌ／ｍｉｎとし、その水に含まれる土砂の粒径は０．０７〜０．６ｍｍ、土砂比重は２．６とした。
【００３５】
図３（ａ）に示す条件のもとで、予め水路模型内に堆積させた０．０１ｍ３の土砂（珪砂６号）の量から、１０分間で余水ゲート１２２から排出される量を減算した土砂残留量によって土砂残留率を計測した。図３（ｂ）に示すように、従来構造（比較例１：敷板１３０なし）の場合、余水ゲート１２２から１０ｃｍ程度上流の位置までの土砂を排出することは可能であったものの、それより上流の土砂を排出することができず、土砂残留率は６０％であった。
【００３６】
一方、本実施形態のように二階建て（実施例１：敷板設置）では、敷板１３０の下方に底面流が発生するため、余水ゲートから４０ｃｍ上流の土砂を排出することができた。これにより、水路模型の底面に堆積する土砂残留率が１５％程度となる。このことから、敷板１３０を設置することが土砂の排出に大きく寄与していることがわかる。しかしながら、実施例１では敷板上に土砂が残留してしまうため、敷板上の土砂残留量およびそれ以外の土砂の土砂残留量を合計すると、土砂残留率は４１％であった。
【００３７】
上記実施例１に対し、１スリット（実施例２：スリット状の貫通孔を１つ形成した敷板設置）では、余水ゲート１２２から４０ｃｍ上流の土砂を排出可能であることに加え、スリット状の貫通孔１３２を通じて敷板上の土砂を排出することができるため、敷板上の土砂の堆積量が大幅に低減される。このため、実施例２では、敷板上の土砂残留量およびそれ以外の土砂の土砂残留量を合計すると、土砂残留率が１９％程度まで低下していた。このことから、敷板１３０を設置するだけでなく、敷板１３０に更に貫通孔１３２を形成することにより、土砂の排出効果を一層高めることが可能であることがわかる。
【００３８】
実施例１の敷板１３０に更にスリット状の貫通孔１３２を１つ追加した２スリット（実施例３：スリット状の貫通孔を２つ形成した敷板設置）では、敷板上の土砂は実施例１と比して大幅に減量しているが、敷板上以外の土砂、すなわち水路模型の底面に堆積している土砂の残留率が実施例１および２と比して上昇している。このため、実施例３では、土砂残留率は３４％程度に留まっている。これは、スリット状の貫通孔を追加したことにより、敷板上の土砂を排出する効果は高まったものの、底面流によって得られる効果が減少し、余水ゲート近傍より上流側の土砂排出効果が低下したためと考えられる。
【００３９】
上記結果から、図３（ａ）に示す条件下において、スリット状の貫通孔１３２を１つ形成した敷板（実施例２）を設置することにより、最も高い土砂排出効果が得られることが理解できる。なお、本実施形態では、実施例２において最も高い効果が得られたが、他の条件においては実施例１または３において高い土砂排出効果が得られることも考えられるため、すべての設置現場において実施例２の構成を推奨するものではない。
【００４０】
上記説明したように、本実施形態にかかる水路構造１００によれば、水路内に敷板１３０を設置することにより、余水ゲート１２２を敷板１３０の高さまで開口させると、敷板１３０の下方に底面流が生じる。この底面流により、敷板１３０より上流側の土砂が敷板１３０の下方に吸い込まれるように移動し、余水ゲート１２２から排出される。また敷板１３０に貫通孔１３２を形成することにより、敷板１３０の上に堆積する土砂も排出される。このため、発電所を運用しながら、水路に堆積した土砂を効率的に排除することができる。したがって、発電所の運用停止に伴う溢水電力の増加や灌漑用水への分水支障等の不具合の発生を防ぎ、且つ土砂排除作業に要する労力および人件費の大幅な削減や河川の濁水発生の抑制を図ることが可能となる。
【００４１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、河川からの水を取水する水路であって、かかる水路を開閉するゲートを備える水路構造として利用することができる。
【符号の説明】
【００４３】
１００…水路構造、１０２…底面、１１０…導水路、１１０ａ…上流、１１０ｂ…下流、１１２…屈曲部、１１２ａ…角、１２０…余水路、１２２…余水ゲート、１２４…スクリーン、１２６…沈砂池、１３０…敷板、１３０ａ…前縁、１３０ｂ…後縁、１３２…貫通孔、１４０…土砂
【図１】
2015028255.tif 000005
【図２】
2015028255.tif 000006
【図３】
2015028255.tif 000007